(57)【要約】【課題】  携帯式電子装置に応用される電子ファイルの持続循環再生の方法の提供。【解決手段】  本発明の方法は以下のステップを包含する。（Ａ）設定インタフェースを呼び出す。（Ｂ）循環再生の開始時間を設定する。（Ｃ）循環再生の終了時間を設定する。（Ｄ）設定した開始時間を起点として電子ファイルを再生し並びに設定した終了時間を終点としてこの電子ファイルの再生を停止する。（Ｅ）前述の設定インタフェースを呼び出し並びに電子ファイルを循環再生するかを判断し、不成立であれば、電子ファイル再生を停止する。ゆえにこれにより携帯式電子装置が電子ファイルの循環再生を実行する時に、使用者がこの設定インタフェースを離れても電子ファイルの循環再生を持続できる。【選択図】        図１
2006190430.tif 000002
【特許請求の範囲】
【請求項１】
（Ａ）設定インタフェースを呼び出すステップ
（Ｂ）循環再生の開始時間を設定するステップ
（Ｃ）循環再生の終了時間を設定するステップ
（Ｄ）設定した開始時間を起点として電子ファイルを再生し並びに設定した終了時間を終点としてこの電子ファイルの再生を停止するステップ
（Ｅ）前述の設定インタフェースを呼び出し並びに電子ファイルを循環再生するかを判断し、不成立であれば、電子ファイル再生を停止するステップ
以上のステップを具えたことを特徴とする、電子ファイルの持続循環再生の方法。
【請求項２】
請求項１記載の電子ファイルの持続循環再生の方法において、携帯式電子装置はＭＰ３プレイヤー、言語学習機、或いはＣＤプレイヤーのいずれかとされたことを特徴とする、電子ファイルの持続循環再生の方法。
【発明の詳細な説明】
【技術分野】
【０００１】
本発明は電子ファイルの持続循環再生の方法に係り、特に携帯式電子装置に適用される電子ファイルの持続循環再生の方法に関する。
【背景技術】
【０００２】
デジタルテクノロジーの普及により、現在、ＶＣＤ、ＤＶＤ、ＭＰ３、及びＰＤＡ等多様な形式の携帯式プレイヤーが出現し、外形が時代に対応し、携帯性を具備する以外に、多重の機能、例えば重複循環再生機能、単曲再生機能、録音或いは録画機能を具備するものが出現した。しかし機能上、その実用性はまだ十分に強靱ではなく、完全には消費者の要求を満足させていない。例えば、ほとんどの携帯式プレイヤーは重複循環再生の機能を具備しているが、使用者がこの機能のフレームを離れると、携帯式プレイヤーは重複循環再生の機能を自動停止してしまう。重複循環再生機能の実用性を高めるため、使用者は任意のフレーム上で重複循環再生の機能を実行或いは取り消すことができるようにする必要がある。これにより、従来の携帯式電子装置には改善の必要がある。
【発明の開示】
【発明が解決しようとする課題】
【０００３】
本発明は電子ファイルの持続循環再生の方法を提供し、それは携帯式電子装置に応用され、この電子装置は、ＭＰ３プレイヤー、言語学習機、或いはＣＤプレイヤーとされうる。
【０００４】
このほか、本発明の電子ファイルの持続循環再生の方法は、以下のステップを具えている。即ち、（Ａ）設定インタフェースを呼び出す。（Ｂ）循環再生の開始時間を設定する。（Ｃ）循環再生の終了時間を設定する。（Ｄ）設定した開始時間を起点として電子ファイルを再生し並びに設定した終了時間を終点としてこの電子ファイルの再生を停止する。（Ｅ）前述の設定インタフェースを呼び出し並びに電子ファイルを循環再生するかを判断し、不成立であれば、電子ファイル再生を停止する。
【０００５】
このほか、任意のインタフェースの下方に状態表示エリアがあり、例えば時間指示エリア及び提示表示エリアがあり、提示表示エリアは使用者に持続循環再生電子ファイルを告知するのに用いられる。
【０００６】
これにより、上述の方法は携帯式電子装置の電子ファイル持続循環再生の時、使用者が不注意からこの設定インタフェースを離れても、携帯式電子装置に電子ファイルの持続循環再生を自動取消させない。
【課題を解決するための手段】
【０００７】
請求項１の発明は、
（Ａ）設定インタフェースを呼び出すステップ
（Ｂ）循環再生の開始時間を設定するステップ
（Ｃ）循環再生の終了時間を設定するステップ
（Ｄ）設定した開始時間を起点として電子ファイルを再生し並びに設定した終了時間を終点としてこの電子ファイルの再生を停止するステップ
（Ｅ）前述の設定インタフェースを呼び出し並びに電子ファイルを循環再生するかを判断し、不成立であれば、電子ファイル再生を停止するステップ
以上のステップを具えたことを特徴とする、電子ファイルの持続循環再生の方法としている。
請求項２の発明は、請求項１記載の電子ファイルの持続循環再生の方法において、携帯式電子装置はＭＰ３プレイヤー、言語学習機、或いはＣＤプレイヤーのいずれかとされたことを特徴とする、電子ファイルの持続循環再生の方法としている。
【発明の効果】
【０００８】
本発明の方法は以下のステップを包含する。（Ａ）設定インタフェースを呼び出す。（Ｂ）循環再生の開始時間を設定する。（Ｃ）循環再生の終了時間を設定する。（Ｄ）設定した開始時間を起点として電子ファイルを再生し並びに設定した終了時間を終点としてこの電子ファイルの再生を停止する。（Ｅ）前述の設定インタフェースを呼び出し並びに電子ファイルを循環再生するかを判断し、不成立であれば、電子ファイル再生を停止する。ゆえにこれにより携帯式電子装置が電子ファイルの循環再生を実行する時に、使用者がこの設定インタフェースを離れても電子ファイルの循環再生を持続できる。
【発明を実施するための最良の形態】
【０００９】
図１は本発明の電子ファイルの持続循環再生の方法のフローチャートである。図２−３は本発明の実施例の表示図である。音楽プレイヤーが任意のインタフェースにある時、使用者はハードディスク上の機能キーで循環再生機能に進入でき、各インタフェースの左下方及び右下方にそれぞれ時間指示エリア２１と提示表示エリア２２があり、これは図２に示されるとおりである。
ステップＳ１０において、循環再生設定インタフェースを呼び出す。続いて、循環再生の開始時間を設定する（ステップＳ１１）。及び、循環再生の終了時間を設定する（ステップＳ１２）。循環再生の開始時間と終了時間の設定が終わった後、音楽プレイヤーは前述のように設定された開始点と終了点の間のＭＰ３ファイルの循環再生を行なう（ステップＳ１３）。且つ右下方の提示表示エリア２２にこのＭＰ３ファイルを表示して循環再生を開始し、これは図３に示されるようである。
ステップＳ１４において、前述の循環再生設定インタフェースを呼び出し並びにＭＰ３ファイルを循環再生するかを判断する。前述の循環再生設定インタフェースのＭＰ３ファイル循環再生が不成立であれば、ＭＰ３ファイル再生を停止する（ステップＳ１５）。その後、ＭＰ３ファイルの循環再生を終了する（ステップＳ１６）。反対に、成立すれば、音楽プレイヤーが続けて前述の循環再生設定された開始点と終了点の間のＭＰ３ファイルを循環再生する（ステップＳ１３）。
これにより、上述の方法により、本実施例において、音楽プレイヤーがＭＰ３ファイルの循環再生を行なう時は、使用者は上述の循環再生設定インタフェースを離れることができ、音楽プレイヤーはＭＰ３ファイルの循環再生を持続できる。使用者がＭＰ３ファイルの循環再生を終了したければ、ステップＳ１４、ステップＳ１５、及びステップＳ１６を実行する。
【００１０】
上述の実施例は本発明を説明するために提示されたものであり、本発明の実施範囲を限定するものではなく、本発明に基づきなしうる細部の修飾或いは改変は、いずれも本発明の請求範囲に属するものとする。
【図面の簡単な説明】
【００１１】
【図１】本発明のフローチャートである。
【図２】本発明の実施例の表示図である。
【図３】本発明の実施例の表示図である。
【符号の説明】
【００１２】
Ｓ１０〜Ｓ１６  ステップ
２１  時間指示エリア
２２  提示表示エリア
【図１】
2006190430.tif 000003
【図２】
2006190430.tif 000004
【図３】
2006190430.tif 000005